(57)【要約】      （修正有）【課題】一対の蓋内フラップに一対の蓋外フラップを係合することで、隙間の発生を抑制しつつ蓋部を容易に閉塞することができる箱用シートを提供する。【解決手段】箱用シートは、一対の蓋外フラップ５、６が、組立状態で平面視において先端同士が突き合わされる略矩形状の本体１５、１６と、本体１５、１６の先端縁の幅方向中央部から突出する突片１７、１８とを有し、本体１５、１６が、幅方向両側の先端部に一対の係合部１５ａ、１６ａを有し、一対の蓋内フラップ７、８が、組立時に一方の蓋外フラップ５の係合部１５ａが挿入される第１係止孔２１、２２及び他方の蓋外フラップ６の係合部１６ａが挿入される第２係止孔２３、２４を有し、一対の蓋外フラップ５、６が、基端縁の幅方向両端から突片の先端縁の中央部に亘って延びる一対の第１山折り線１９、２０を有し、一対の蓋内フラップ７、８が、基端縁の幅方向両端から蓋内フラップ７、８の先端縁の中央部に亘って延びる一対の第２山折り線２５、２６を有する。【選択図】図１
0003220368.tif 000002
【実用新案登録請求の範囲】
【請求項１】
１枚のシートからなり、
左右方向に交互に連接され、四角筒状に組み立てられる一対の長さ面パネル及び一対の幅面パネルと、
上記一対の長さ面パネルの上縁から延出する一対の蓋外フラップと、
上記一対の幅面パネルの上縁から延出する一対の蓋内フラップと
を備え、箱型に組立可能な箱用シートであって、
上記一対の蓋外フラップが、組立状態で平面視において先端同士が突き合わされる略矩形状の本体と、この本体の先端縁の幅方向中央部から突出する突片とを有し、
上記本体が、幅方向両側の先端部に一対の係合部を有し、
上記一対の蓋内フラップが、組立時に一方の上記蓋外フラップの係合部が挿入される第１係止孔及び他方の上記蓋外フラップの係合部が挿入される第２係止孔を有し、
上記第１係止孔及び第２係止孔が上記蓋内フラップの基端側から先端側に向けて幅方向の内側に傾斜する細長状であり、
上記一対の蓋外フラップが、上記一対の長さ面パネルとの連接部の幅方向両端から上記突片の先端縁の中央部に亘って延びる一対の第１山折り線を有し、
上記一対の蓋内フラップが、上記一対の幅面パネルとの連接部の幅方向両端から上記蓋内フラップの先端縁の中央部に亘って延びる一対の第２山折り線を有する箱用シート。
【請求項２】
上記第１係止孔及び第２係止孔が、上記蓋内フラップの幅方向外側に凸な円弧状であり、
上記第１係止孔及び第２係止孔が、上記蓋内フラップの基端縁を一端として形成されるスリット部と、このスリット部の他端から連続し、上記蓋内フラップの幅方向外側に拡幅した拡幅部とを有する請求項１に記載の箱用シート。
【請求項３】
上記第１係止孔の先端が第２係止孔の先端よりも上記蓋内フラップの先端側に位置しており、
上記第１係止孔及び第２係止孔の先端が上記蓋内フラップの幅方向中央に配置される請求項１又は請求項２に記載の箱用シート。
【請求項４】
上記一方の蓋外フラップの本体の先端縁に、上記突片の両端から幅方向外側に延びる一対の直線部が形成され、この直線部が組立状態で上記第２係止孔の先端を越えて延在する請求項３に記載の箱用シート。
【請求項５】
上記他方の蓋外フラップの突片の幅が、組立状態における上記一対の蓋内フラップの第１係止孔の先端間の間隔よりも大きい請求項３又は請求項４に記載の箱用シート。
【考案の詳細な説明】
【技術分野】
【０００１】
本考案は、箱用シートに関する。
【背景技術】
【０００２】
段ボールシートを組み立ててなる箱体が物品の保管用、運搬用等として広く用いられている。この段ボールシートとしては、左右方向に交互に連接され、四角筒状に組み立てられる一対の長さ面パネル及び一対の幅面パネルと、一対の長さ面パネルの上縁から延出する一対の蓋外フラップと、一対の幅面パネルの上縁から延出する一対の蓋内フラップとを備え、一対の長さ面パネル及び一対の幅面パネルを四角筒状に組み立てたうえ、一対の蓋内フラップを内側に折り曲げ、さらに一対の蓋外フラップを内側に折り曲げて蓋部を形成するものが広く採用されている。
【０００３】
この段ボールシートとしては、蓋部を容易に閉塞できるよう、一対の蓋外フラップを一対の蓋内フラップに係合させる構成のものが発案されている。例えば、実用新案登録第３０３６３６６号公報には、一対の蓋内フラップに、一対の蓋外フラップの先端縁の両角部を差し込むための一対の切込みを設けたものが提案されている。
【先行技術文献】
【特許文献】
【０００４】
【特許文献１】実用新案登録第３０３６３６６号公報
【考案の概要】
【考案が解決しようとする課題】
【０００５】
上記公報に記載の箱体は、一対の蓋内フラップを内側に折り曲げ、続いて一対の蓋外フラップを、先端側の両角部を一対の蓋内フラップの一対の切込みに挿入しつつ一対の蓋内フラップの上面に折り重ねることで、蓋部の開放を防止できるとされている。
【０００６】
しかしながら、この箱体は、組立状態で一対の蓋外フラップの先端縁間に隙間が生じやすく、この隙間から異物が混入しやすい。そのため、この箱体は、蓋部を確実に閉塞するためには、一対の蓋外フラップの先端縁同士を突き合せた後、この突合せ部に封函テープを貼着することを要する。
【０００７】
本考案は、このような不都合に鑑みてなされたものであり、一対の蓋内フラップに一対の蓋外フラップを係合することで、隙間の発生を抑制しつつ蓋部を容易に閉塞することができる箱用シートの提供を課題とする。
【課題を解決するための手段】
【０００８】
上記課題を解決するためになされた本考案に係る箱用シートは、１枚のシートからなり、左右方向に交互に連接され、四角筒状に組み立てられる一対の長さ面パネル及び一対の幅面パネルと、上記一対の長さ面パネルの上縁から延出する一対の蓋外フラップと、上記一対の幅面パネルの上縁から延出する一対の蓋内フラップとを備え、箱型に組立可能な箱用シートであって、上記一対の蓋外フラップが、組立状態で平面視において先端同士が突き合わされる略矩形状の本体と、この本体の先端縁の幅方向中央部から突出する突片とを有し、上記本体が、幅方向両側の先端部に一対の係合部を有し、上記一対の蓋内フラップが、組立時に一方の上記蓋外フラップの係合部が挿入される第１係止孔及び他方の上記蓋外フラップの係合部が挿入される第２係止孔を有し、上記第１係止孔及び第２係止孔が上記蓋内フラップの基端側から先端側に向けて幅方向の内側に傾斜する細長状であり、上記一対の蓋外フラップが、上記一対の長さ面パネルとの連接部の幅方向両端から上記突片の先端縁の中央部に亘って延びる一対の第１山折り線を有し、上記一対の蓋内フラップが、上記一対の幅面パネルとの連接部の幅方向両端から上記蓋内フラップの先端縁の中央部に亘って延びる一対の第２山折り線を有する。
【０００９】
当該箱用シートは、一対の蓋外フラップが本体の幅方向両側の先端部に一対の係合部を有し、一対の蓋内フラップが上記一対の係合部が挿入される第１係止孔及び第２係止孔を有しているので、一方の蓋外フラップに形成される係合部を上記一対の蓋内フラップの第１係止孔に挿入し、かつ他方の蓋外フラップに形成される係合部を上記一対の蓋内フラップの第２係止孔に挿入することで蓋部を組み立てることができる。また、当該箱用シートは、上記一対の蓋外フラップが、一対の長さ面パネルとの連接部の幅方向両端から突片の先端縁の中央部に亘って延びる一対の第１山折り線を有し、上記一対の蓋内フラップが、一対の幅面パネルとの連接部の幅方向両端から上記蓋内フラップの先端縁の中央部に亘って延びる一対の第２山折り線を有している。そのため、当該箱用シートは、上記一対の第２山折り線によって一対の蓋内フラップを折り曲げた状態で、上記一対の蓋外フラップを上記一対の第１山折り線によって折り曲げつつ内側に折り曲げていくことで上記一対の蓋外フラップの一対の係合部を上記一対の蓋内フラップの第１係止孔及び第２係止孔に容易に挿入することができる。さらに、当該箱用シートは、上記一対の蓋外フラップが、組立状態で平面視において先端同士が付き合わされる本体と、この本体の先端縁の幅方向中央部から突出する突片とを有するので、平面視で上記本体の先端縁同士を突き合せた状態で本体の先端縁間に隙間が生じ難い。従って、当該箱用シートは、上記一対の蓋内フラップに上記一対の蓋外フラップを係合することで、隙間の発生を抑制しつつ蓋部を容易に閉塞することができる。
【００１０】
上記第１係止孔及び第２係止孔が、上記蓋内フラップの幅方向外側に凸な円弧状であり、上記第１係止孔及び第２係止孔が、上記蓋内フラップの基端縁を一端として形成されるスリット部と、このスリット部の他端から連続し、上記蓋内フラップの幅方向外側に拡幅した拡幅部とを有するとよい。この構成によると、上記一対の蓋外フラップの一対の係合部を上記第１係止孔及び第２係止孔に上記拡幅部から容易に挿入することができると共に、上記一対の係合部を上記スリット部に係止することで、上記一対の係合部を上記第１係止孔及び第２係止孔に確実に係合することができる。
【００１１】
上記第１係止孔の先端が第２係止孔の先端よりも上記蓋内フラップの先端側に位置しており、上記第１係止孔及び第２係止孔の先端が上記蓋内フラップの幅方向中央に配置されるとよい。このように、上記第１係止孔の先端が第２係止孔の先端よりも上記蓋内フラップの先端側に位置しており、上記第１係止孔及び第２係止孔の先端が上記蓋内フラップの幅方向中央に配置されることによって、上記一対の係合部の面積を大きくして上記一対の係合部を上記第１係止孔及び第２係止孔に確実に係合しやすい。
【００１２】
上記一方の蓋外フラップの本体の先端縁に、上記突片の両端から幅方向外側に延びる一対の直線部が形成され、この直線部が組立状態で上記第２係止孔の先端を越えて延在するとよい。このように、上記一方の蓋外フラップの本体の先端縁に、上記突片の両端から幅方向外側に延びる一対の直線部が形成され、この直線部が組立状態で上記第２係止孔の先端を越えて延在することで、組立状態における上記一方の蓋外フラップの一対の係合部の上記第１係止孔からの抜けを抑制することができる。
【００１３】
上記他方の蓋外フラップの突片の幅が、組立状態における上記一対の蓋内フラップの第１係止孔の先端間の間隔よりも大きいとよい。このように、上記他方の蓋外フラップの突片の幅が、組立状態における上記一対の蓋内フラップの第１係止孔の先端間の間隔よりも大きいことによって、上記一方の蓋外フラップの一対の係合部の上記第１係止孔からの抜けを十分に抑制しつつ、蓋部における隙間の発生をより確実に防止することができる。
【００１４】
なお、本考案において、「左右方向」とは、箱用シートを組み立ててなる箱体の想定される一般的な使用態様における水平方向を意味し、「上」とは、想定される一般的な使用態様における上を意味するが、上記箱体の使用時の向きを制限することを企図するものではない。「山折り線」とは、組立状態を基準とする外側（箱体の外面側）に凸に折り曲げられる折り曲げ容易線を意味する。
【考案の効果】
【００１５】
以上説明したように、本考案に係る箱用シートは、一対の蓋内フラップに一対の蓋外フラップを係合することで、隙間の発生を抑制しつつ蓋部を容易に閉塞することができる。
【図面の簡単な説明】
【００１６】
【図１】本考案の一実施形態に係る箱用シートを示す模式的平面図である。
【図２】図１の箱用シートの組立手順を示す模式的斜視図である。
【図３】図１の箱用シートの図２の次の組立手順を示す模式的斜視図である。
【図４】図１の箱用シートを組み立ててなる箱体の模式的平面図である。
【考案を実施するための形態】
【００１７】
以下、適宜図面を参照しつつ、本考案の実施の形態を詳説する。
【００１８】
［箱用シート］
図１の箱用シートは、１枚のシートからなる。当該箱用シートは、左右方向に交互に連接され、四角筒状に組み立てられる一対の長さ面パネル（第１長さ面パネル１及び第２長さ面パネル２）並びに一対の幅面パネル（第１幅面パネル３及び第２幅面パネル４）と、一対の長さ面パネル１，２の上縁から延出する一対の蓋外フラップ（第１長さ面パネル１の上縁から延出する第１蓋外フラップ５及び第２長さ面パネル２の上縁から延出する第２蓋外フラップ６）と、一対の幅面パネル３，４の上縁から延出する一対の蓋内フラップ（第１幅面パネル３の上縁から延出する第１蓋内フラップ７及び第２幅面パネル４の上縁から延出する第２蓋内フラップ８）とを備える。第１長さ面パネル１、第１幅面パネル３、第２長さ面パネル２及び第２幅面パネル４は、この順で左右方向一方側から左右方向他方側に連接されている。また、当該箱用シートは、一対の長さ面パネル１，２の下縁から延出する第１底形成フラップ９及び第２底形成フラップ１０と、一対の幅面パネル３，４の下縁から延出する第３底形成フラップ１１及び第４底形成フラップ１２と、第１長さ面パネル１の第１幅面パネル３との連接側と反対側の側縁から延出する糊代１３とを備える。一対の長さ面パネル１，２及び一対の幅面パネル３，４は、糊代１３を第２幅面パネル４の内面に貼着することで無端状に接続される。第２幅面パネル４への糊代１３の貼着は、例えば接着剤、ステープラー等を用いて行うことができる。当該箱用シートは、箱型に組立可能であり、具体的には図２及び図３に示す組立手順を経て図４の箱体に組み立てられる。なお、図１において、太い実線はシートを切断して形成される切断線を示し、細い実線はシートの内面を筋押しして形成される罫線を示す。また、「下」とは、想定される一般的な使用態様における下を意味するが、上記箱体の使用時の向きを制限することを企図するものではない。
【００１９】
当該箱用シートに用いられるシートとしては、当該箱用シートを組み立ててなる箱体の形状を維持できる程度の強度を有する限り特に限定されるものではなく、例えば段ボールシート、ボール紙等の紙製シート、合成樹脂製シート、紙製シートと合成樹脂製シートとの積層シート等が挙げられる。中でも、加工性、衝撃吸収性、取扱性、リサイクル性、経済性等の点から紙製シートが好ましく、座屈強度を高めやすい段ボールシートが特に好ましい。当該箱用シートを形成する段ボールとしては、原紙を波形状に形成した中芯をライナーに貼り合わせたものであって、例えば波形状に形成された中芯を１枚のライナーに貼り合わせた片面段ボールシート、片面段ボールシートの段頂にさらにライナーを貼り合わせた両面段ボールシート、両面段ボールシートの片側に片面段ボールシートの段頂を貼り合わせた複両面段ボールシート、複両面段ボールシートの片側に片面段ボールシートの段頂をさらに貼り合わせた複々両面段ボールシート等が挙げられる。これらの中でも、加工性、経済性、耐久性等の点から両面段ボールシートが好ましい。段ボールシートの中芯の稜線方向は、箱体の座屈強度を高める観点から上下方向に配設されることが好ましい。
【００２０】
＜長さ面パネル及び幅面パネル＞
一対の長さ面パネル１，２は矩形状かつ略同一形状に形成されている。また、一対の幅面パネル３，４は矩形状かつ略同一形状に形成されている。一対の長さ面パネル１，２の左右方向長さは、一対の幅面パネル３，４の左右方向長さよりも大きい。一対の長さ面パネル１，２及び一対の幅面パネル３，４の上下方向長さは略等しい。
【００２１】
一対の長さ面パネル１，２の左右方向長さとしては、特に限定されるものではないが、後述の手順で蓋部を組み立てやすい観点から、例えば１５ｃｍ以上３５ｃｍ以下とすることができる。一対の長さ面パネル１，２及び一対の幅面パネル３，４の上下方向長さとしては、箱体内に収容する物品の大きさに基づいて適宜設定可能であるが、例えば３ｃｍ以上４０ｃｍ以下とすることができる。長さ面パネル１，２の左右方向長さに対する幅面パネル３，４の左右方向長さの比としては、後述するように第１山折り線１９，２０による折り曲げ状態で一対の蓋外フラップ５，６を内側に折り曲げていくことで、これらの蓋外フラップ５，６の係合部１５ａ，１６ａを第１係止孔２１，２２及び第２係止孔２３，２４に挿入しやすいよう、例えば０．６以上０．９以下とすることができる。
【００２２】
＜蓋外フラップ＞
一対の蓋外フラップ５，６は、組立状態で平面視において先端同士が突き合わされる略矩形状の本体１５，１６と、本体１５，１６の先端縁の幅方向中央部から突出する突片１７，１８とを有する。本体１５，１６は、幅方向両側の先端部に一対の係合部１５ａ，１６ａを有する。また、一対の蓋外フラップ５，６は、一対の長さ面パネル１，２との連接部の幅方向両端から突片１７，１８の先端縁の中央部に亘って延びる各一対の第１山折り線１９，２０を有する。以下、第１蓋外フラップ５及び第２蓋外フラップ６の具体的構成について説明する。
【００２３】
（第１蓋外フラップ）
上述のように、第１蓋外フラップ５は、組立状態で平面視において第２蓋外フラップ６の本体１６の先端縁と突き合わされる略矩形状の本体１５と、本体１５の先端縁の幅方向中央部から突出する突片１７とを有する。また、本体１５は、幅方向両側の先端部に一対の係合部１５ａを有する。本体１５の延出方向長さは、幅面パネル３，４の左右方向長さの略１／２である。本体１５は、突片１７の幅方向両端から幅方向外側に連続する部分が係合部１５ａを構成している（つまり、突片１７の基端縁の幅方向両端と係合部１５ａとの間に間隔は存在しない）。これにより、図２及び図４に示すように、組立状態で突片１７の両側縁は一対の第１係止孔２１，２２と連続するように配設される（つまり、突片１７の幅は、組立状態における一対の第１係止孔２１，２２間の間隔と略等しい）。その結果、組立状態において、平面視で一対の第１係止孔２１，２２間における本体１５，１６同士の間の隙間は突片１７によって完全に閉塞される。
【００２４】
突片１７は幅方向を長手方向とする略矩形状である。本体１５の延出方向長さに対する突片１７の突出方向長さの比の下限としては、０．１０が好ましく、０．１５がより好ましい。一方、上記比の上限としては、０．３５が好ましく、０．２５がより好ましい。上記比が上記下限に満たないと、一対の係合部１５ａを第１係止孔２１，２２に確実に係合し難くなるおそれや、第１蓋外フラップ５の突片１７と第２蓋外フラップ６の突片１８との間から箱体内に異物が混入するおそれがある。逆に、上記比が上記上限を超えると、突片１７が不必要に大きくなり、当該箱用シートの製造コストや取扱性が不十分となるおそれがある。
【００２５】
一対の係合部１５ａは、本体１５の先端側の両角部に形成される。本体１５の先端縁には、突片１７の両端（幅方向の両端）から幅方向外側に延びる一対の直線部１５ｂが形成されている。この直線部１５ｂは、係合部１５ａの先端縁を画定している。図４に示すように、直線部１５ｂは、組立状態で第２係止孔２３，２４の先端を越えて延在している。当該箱用シートは、後述のように第１係止孔２１，２２及び第２係止孔２３，２４の先端が第１蓋内フラップ７及び第２蓋内フラップ８の幅方向中央に配置されている。そのため、当該箱用シートは、一対の直線部１５ｂが一対の第２係止孔２３，２４の先端を越えて延在する場合であっても、第２蓋外フラップ６の一対の係合部１６ａの第２係止孔２３，２４への挿入が一対の直線部１５ｂによって妨げられない。さらに、当該箱用シートは、一対の直線部１５ｂが一対の第２係止孔２３，２４の先端を越えて延在することで、組立状態における第１蓋外フラップ５の一対の係合部１５ａの第１係止孔２１，２２からの抜けを抑制することができる。
【００２６】
一対の第１山折り線１９は、第１蓋外フラップ５の第１長さ面パネル１との連接部（つまり、本体１５の基端縁）の幅方向両端から突片１７の先端縁の中央部に亘って延びている。一対の第１山折り線１９は全体としてＶ字状に形成されている。
【００２７】
（第２蓋外フラップ）
上述のように、第２蓋外フラップ６は、組立状態で平面視において第１蓋外フラップ５の本体１５の先端縁と突き合わされる略矩形状の本体１６と、本体１６の先端縁の幅方向の中央部から突出する突片１８とを有する。また、本体１６は、幅方向両側の先端部に一対の係合部１６ａを有する。本体１６の延出方向長さは、幅面パネル３，４の左右方向長さの略１／２である。本体１６は、突片１８の幅方向両端から幅方向外側に連続する部分が係合部１６ａを構成している（つまり、突片１８の基端縁の幅方向両端と係合部１６ａとの間に間隔は存在しない）。これにより、図４に示すように、組立状態で突片１８の両側縁は一対の第２係止孔２３，２４と連続するよう配設される（つまり、突片１８の幅は、組立状態における一対の第２係止孔２３，２４間の間隔と略等しい）。その結果、組立状態において、平面視で一対の第２係止孔２３，２４間における本体１５，１６同士の間の隙間は突片１８によって完全に閉塞される。
【００２８】
突片１８の幅は、組立状態における一対の蓋内フラップ７，８の第１係止孔２１，２２の先端間の間隔よりも大きい。当該箱用シートは、図２及び図３に示すように、第１蓋外フラップ４の一対の係合部１５ａを一対の蓋内フラップ７，８の第１係止孔２１，２２に挿入した後、さらに第２蓋外フラップ６の一対の係合部１６ａを一対の蓋内フラップ７，８の第２係止孔２３，２４に挿入することで蓋部が組み立てられる。これにより、図４に示すように、当該箱用シートを組み立ててなる箱体は、第１蓋外フラップ５の突片１７の上面に第２蓋外フラップ６の突片１８が重なり合う。当該箱用シートは、第２蓋外フラップ６の突片１８の幅が、組立状態における一対の蓋内フラップ７，８の第１係止孔２１，２２の先端間の間隔よりも大きいことによって、第１蓋外フラップ５の一対の係合部１５ａの内側（突片１７側）の端縁が第２蓋外フラップ６の突片１８によって被覆される。これにより、第１蓋外フラップ５の一対の係合部１５ａの第１係止孔２１，２２からの抜けを十分に抑制しつつ、箱体の蓋部における隙間の発生をより確実に防止することができる。
【００２９】
突片１８は幅方向を長手方向とする略矩形状である。突片１８の先端縁の幅方向の両側は湾曲している。突片１８の突出方向長さとしては、特に限定されないが、第１蓋外フラップ５の突片１７の突出方向長さよりも短くてもよい。この場合、第１蓋外フラップ５の突片１７の突出方向長さに対する第２蓋外フラップ６の突片１８の突出方向長さの比としては、例えば０．６以上０．９以下とすることができる。
【００３０】
一対の係合部１６ａは、本体１６の先端側の両角部に形成される。一対の第１山折り線２０は、第２蓋外フラップ６の第２長さ面パネル２との連接部（つまり、本体１６の基端縁）の幅方向両端から突片１８の先端縁の中央部に亘って延びている。一対の第１山折り線２０は全体としてＶ字状に形成されている。
【００３１】
＜蓋内フラップ＞
一対の蓋内フラップ７，８は略矩形状である。一対の蓋内フラップ７，８は、組立時に第１蓋外フラップ５の一対の係合部１５ａが挿入される第１係止孔２１，２２と、第２蓋外フラップ６の一対の係合部１６ａが挿入される第２係止孔２３，２４とを有する。第１係止孔２１，２２は、一対の長さ面パネル１，２及び一対の幅面パネル３，４を四角筒状に組み立てた状態で第１蓋外フラップ５に隣接する側に設けられ、第２係止孔２３，２４は、一対の長さ面パネル１，２及び一対の幅面パネル３，４を四角筒状に組み立てた状態で第２蓋外フラップ６に隣接する側に設けられている。第１係止孔２１，２２及び第２係止孔２３，２４は、蓋内フラップ７，８の基端縁から先端側に向けて幅方向の内側に傾斜する細長状である。また、一対の蓋内フラップ７，８は、一対の幅面パネル３，４との連接部の幅方向両端から蓋内フラップ７，８の先端縁の中央部に亘って延びる各一対の第２山折り線２５，２６を有する。なお、一対の蓋内フラップ７，８の先端縁には、箱体から物品を取り出す際に一対の蓋内フラップ７，８を広げやすいよう手指を掛けるための切欠き２７，２８が形成されていてもよい。以下、第１蓋内フラップ７及び第２蓋内フラップ８の具体的構成について説明する。
【００３２】
（第１蓋内フラップ）
上述のように、第１蓋内フラップ７は、組立時に第１蓋外フラップ５の係合部１５ａが挿入される第１係止孔２１と、第２蓋外フラップ６の係合部１６ａが挿入される第２係止孔２３とを有する。第１係止孔２１は、その基端が第１蓋内フラップ７の左右方向一方側に位置しており、その先端側に向けて左右方向他方側に湾曲している。一方、第２係止孔２３は、その基端が第１蓋内フラップ７の左右方向他方側に位置しており、その先端側に向けて左右方向一方側に湾曲している。
【００３３】
第１係止孔２１及び第２係止孔２３は、第１蓋内フラップ７の幅方向外側に凸な円弧状、より詳細には１／４円弧状である。また、第１係止孔２１及び第２係止孔２３は、第１蓋内フラップ７の基端縁を一端として形成されるスリット部２１ａ，２３ａと、スリット部２１ａ，２３ａの他端から連続し、第１蓋内フラップ７の幅方向外側に拡幅した拡幅部２１ｂ，２３ｂとを有する。当該箱用シートは、拡幅部２１ｂ，２３ｂに一対の蓋外フラップ５，６の係合部１５ａ，１６ａを挿入したうえ、一対の蓋外フラップ５，６を内側に折り曲げていくことによって係合部１５ａ，１６ａがスリット部２１ａ，２３ａに係止される。当該箱用シートは、第１係止孔２１及び第２係止孔２３が、第１蓋内フラップ７の幅方向外側に凸な円弧状であり、スリット部２１ａ，２３ａの他端から連続し、第１蓋内フラップ７の幅方向外側に拡幅した拡幅部２１ｂ，２３ｂを有することによって、一対の蓋外フラップ５，６の係合部１５ａ，１６ａを第１係止孔２１及び第２係止孔２３に拡幅部２１ｂ，２３ｂから容易に挿入することができる。また、当該箱用シートは、第１係止孔２１及び第２係止孔２３が、第１蓋内フラップ７の基端縁を一端として形成されるスリット部２１ａ，２３ａを有することで、一対の蓋外フラップ５，６の係合部１５ａ，１６ａをスリット部２１ａ，２３ａに係止することで、係合部１５ａ，１６ａを第１係止孔２１及び第２係止孔２３に確実に係合することができる。
【００３４】
拡幅部２１ｂ，２３ｂの内縁はスリット部２１ａ，２３ａの内縁から連続している。拡幅部２１ｂ，２３ｂの長さはスリット部２１ａ，２３ａの長さよりも大きいことが好ましい。拡幅部２１ｂ，２３ｂの長さが比較的大きいことで、一対の蓋外フラップ５，６の係合部１５ａ，１６ａの第１係止孔２１及び第２係止孔２３への挿入作業が容易となる。また、スリット部２１ａ，２３ａの長さが比較的小さいことで、一対の蓋外フラップ５，６の係合部１５ａ，１６ａのスリット部２１ａ，２３ａへの係合作業が容易となる。
【００３５】
第１係止孔２１の先端は第２係止孔２３の先端よりも第１蓋内フラップ７の先端側に位置している。また、第１係止孔２１及び第２係止孔２３の先端は第１蓋内フラップ７の幅方向中央に配置されている。当該箱用シートは、第１係止孔２１の先端が第２係止孔２３ｂの先端よりも第１蓋内フラップ７の先端側に位置し、第１係止孔２１及び第２係止孔２３の先端が第１蓋内フラップ７の幅方向中央まで延びることで、第１係止孔２１と第２係止孔２３とが連結されない状態で、第１係止孔２１及び第２係止孔２３の全長を大きくすることができる。これにより、当該箱用シートは、第１蓋外フラップ５の係合部１５ａ及び第２蓋外フラップ６の係合部１６ａの面積を大きくしてこれらの係合部１５ａ，１６ａを第１係止孔２１及び第２係止孔２３に確実に係合しやすい。
【００３６】
一対の第２山折り線２５は、第１蓋内フラップ７の基端縁の幅方向両端から第１蓋内フラップ７の先端縁の中央部に亘って延びている。一対の第２山折り線２５は全体としてＶ字状に形成されている。
【００３７】
（第２蓋内フラップ）
第２蓋内フラップ８は、第１蓋内フラップ７と左右対称に形成されている。上述のように、第２蓋内フラップ８は、組立時に第１蓋外フラップ５の係合部１５ａが挿入される第１係止孔２２と、第２蓋外フラップ６の係合部１６ａが挿入される第２係止孔２４とを有する。第１係止孔２２は、その基端が第２蓋内フラップ８の左右方向他方側に位置しており、その先端側に向けて左右方向一方側に湾曲している。一方、第２係止孔２４は、その基端が第２蓋内フラップ８の左右方向一方側に位置しており、その先端側に向けて左右方向他方側に湾曲している。
【００３８】
第１係止孔２２及び第２係止孔２４は、第２蓋内フラップ８の幅方向外側に凸な円弧状、より詳細には１／４円弧状である。また、第１係止孔２２及び第２係止孔２４は、第２蓋内フラップ８の基端縁を一端として形成されるスリット部２２ａ，２４ａと、スリット部２２ａ，２４ａの他端から連続し、第２蓋内フラップ８の幅方向外側に拡幅した拡幅部２２ｂ，２４ｂとを有する。拡幅部２２ｂ，２４ｂの内縁はスリット部２２ａ，２４ａの内縁から連続している。拡幅部２２ｂ，２４ｂの長さはスリット部２２ａ，２４ａの長さよりも大きいことが好ましい。
【００３９】
第１係止孔２２の先端は第２係止孔２４の先端よりも第２蓋内フラップ８の先端側に位置している。また、第１係止孔２２及び第２係止孔２４の先端は第２蓋内フラップ８の幅方向中央に配置されている。
【００４０】
一対の第２山折り線２６は、第２蓋内フラップ８の基端縁の幅方向両端から第２蓋内フラップ８の先端縁の中央部に亘って延びている。一対の第２山折り線２６は全体としてＶ字状に形成されている。
【００４１】
＜底形成フラップ＞
４つの底形成フラップ９〜１２はいわゆるワンタッチタイプ（糊付け簡易組立形）の構成を有する。より詳しくは、第１底形成フラップ９及びこの第１底形成フラップ９と隣接する第３底形成フラップ１１が予め貼り合わされ、第２底形成フラップ１０及びこの第２底形成フラップ１０と隣接する第４底形成フラップ１２が予め貼り合わされている。４つの底形成フラップ９〜１２は、一対の長さ面パネル１，２及び一対の幅面パネル３，４が無端状に接続された状態で一対の長さ面パネル１，２及び一対の幅面パネル３，４の内面側に折り返した状態で提供される。当該箱用シートは、一対の長さ面パネル１，２及び一対の幅面パネル３，４を四角筒状に広げることで、第１底形成フラップ９が第４底形成フラップ１２の内側に滑り込み、第２底形成フラップ１０が第３底形成フラップ１１の内側に滑り込む。これにより底部が組み立てられる。
【００４２】
＜蓋部の組立手順＞
図２〜図４を参照して、当該箱用シートの蓋部の組立手順について説明する。まず、図２に示すように、一対の蓋内フラップ７，８を第２山折り線２５，２６で折り曲げた状態で内側に折り曲げる。さらに、第１蓋外フラップ７を第１山折り線１９で折り曲げた状態で内側に折り曲げていくことで一対の係合部１５ａを第１係止孔２１，２２に拡幅部２１ｂ，２２ｂから挿入する。
【００４３】
続いて、図３に示すように、第２蓋外フラップ６を第１山折り線２０で折り曲げた状態で内側に折り曲げていくことで一対の係合部１６ａを第２係止孔２３，２４に拡幅部２３ｂ，２４ｂから挿入する。さらにこの状態で第２蓋外フラップ６を内側に折り曲げていくことで、第１蓋外フラップ５の一対の係合部１５ａが第１係止孔２１，２２のスリット部２１ａ，２２ａに係合し、第２蓋外フラップ６の一対の係合部１６ａが第２係止孔２３，２４のスリット部２３ａ，２４ａに係合する。これにより、図４に示す蓋部が組み立てられる。
【００４４】
＜利点＞
当該箱用シートは、一対の第２山折り線２５，２６によって一対の蓋内フラップ７，８を折り曲げた状態で、一対の蓋外フラップ５，６を一対の第１山折り線１９，２０によって折り曲げつつ内側に折り曲げていくことで一対の蓋外フラップ５，６の各一対の係合部１５ａ，１６ａを一対の蓋内フラップ７，８の第１係止孔２１，２２及び第２係止孔２３，２４に容易に挿入することができる。また、当該箱用シートは、一対の蓋外フラップ５，６が、組立状態で平面視において先端同士が付き合わされる本体１５，１６と、この本体１５，１６の先端縁の幅方向中央部から突出する突片１７，１８とを有するので、平面視で本体１５，１６の先端縁同士を突き合せた状態で本体１５，１６の先端縁間に隙間が生じ難い。従って、当該箱用シートは、一対の蓋内フラップ７，８に一対の蓋外フラップ５，６を係合することで、隙間の発生を抑制しつつ蓋部を容易に閉塞することができる。
【００４５】
［その他の実施形態］
上記実施形態は、本考案の構成を限定するものではない。従って、上記実施形態は、本明細書の記載及び技術常識に基づいて上記実施形態各部の構成要素の省略、置換又は追加が可能であり、それらは全て本考案の範囲に属するものと解釈されるべきである。
【００４６】
上記第１係止孔及び第２係止孔は、蓋内フラップの幅方向外側に凸な円弧状でなくてもよく、例えば直線状、多角状等であってもよい。また、上記第１係止部及び第２係止部としては、スリット部のみからなる形状や拡幅部のみからなる形状を採用することも可能である。
【００４７】
上記第１係止孔の先端は第２係止孔の先端よりも蓋内フラップの先端側に位置していなくてもよい。また、第１係止孔及び第２係止孔の先端は、蓋内フラップの幅方向中央からずれた位置に配置されてもよい。この場合、第１係止孔の先端は、一対の長さ面パネル及び一対の幅面パネルを四角筒状に組み立てた状態で、蓋内フラップの幅方向中央を基準として、一方の蓋外フラップ（第１蓋外フラップ）側に配置され、第２係止孔の先端は、他方の蓋外フラップ（第２蓋外フラップ）側に配置されることが好ましい。
【００４８】
上述のように、一方の蓋外フラップ（第１蓋外フラップ）の本体の先端縁には、突片の両端から幅方向外側に延び、組立状態で第２係止孔の先端を越えて延在する一対の直線部が形成されることが好ましい。但し、当該箱用シートは、第１蓋外フラップの一対の係合部と一対の蓋内フラップの第１係止孔とを確実に係合できる場合、必ずしも上記一対の直線部は形成されていなくてもよい。
【００４９】
当該箱用シートは、上記他方の蓋外フラップ（第２蓋外フラップ）の突片の幅を、組立状態における一対の蓋内フラップの第１係止孔の先端間の間隔以下に形成することも可能である。
【００５０】
上記各蓋外フラップに形成される一対の第１山折り線は全体としてＶ字状に形成されていなくてもよく、上記各蓋内フラップに形成される一対の第２山折り線は全体としてＶ字状に形成されていなくてもよい。当該箱用シートは、上記蓋外フラップの突片の先端縁において一対の第１山折り線同士が間隔を空けて形成されてもよく、上記蓋内フラップの先端縁において一対の第２山折り線同士が間隔を空けて形成されてもよい。
【００５１】
当該箱用シートは、箱体の底部を形成するための具体的な構成は上記実施形態の構成に限定されるものではない。例えば当該箱用シートは、一方の長さ面パネルの下縁から延出する１つの底フラップによって底部が形成されてもよい。
【産業上の利用可能性】
【００５２】
以上のように、本考案に係る箱用シートは、一対の蓋内フラップに一対の蓋外フラップを係合することで、隙間の発生を抑制しつつ蓋部を容易に閉塞することができるので、物品の保管用等に適している。
【符号の説明】
【００５３】
１  第１長さ面パネル
２  第２長さ面パネル
３  第１幅面パネル
４  第２幅面パネル
５  第１蓋外フラップ
６  第２蓋外フラップ
７  第１蓋内フラップ
８  第２蓋内フラップ
９  第１底形成フラップ
１０  第２底形成フラップ
１１  第３底形成フラップ
１２  第４底形成フラップ
１３  糊代
１５，１６  本体
１５ａ，１６ａ  係合部
１５ｂ  直線部
１７，１８  突片
１９，２０  第１山折り線
２１，２２  第１係止孔
２１ａ，２２ａ  スリット部
２１ｂ，２２ｂ  拡幅部
２３，２４  第２係止孔
２３ａ，２４ａ  スリット部
２３ｂ，２４ｂ  拡幅部
２５，２６  第２山折り線
２７，２８  切欠き
【図１】
0003220368.tif 000003
【図２】
0003220368.tif 000004
【図３】
0003220368.tif 000005
【図４】
0003220368.tif 000006